【手続補正書】
【提出日】平成26年2月18日(2014.2.18)
【手続補正１】
【補正対象書類名】特許請求の範囲
【補正対象項目名】全文
【補正方法】変更
【補正の内容】
【特許請求の範囲】
【請求項１】
現実空間内でユーザの意思に基づいて位置が変化する複数のオブジェクトのそれぞれの位置を検知する検知部、
前記検知された複数のオブジェクトの位置から、前記ユーザの意思に基づく指定長を算出する算出部、
少なくとも、商品サイズと、商品画像と、を有する商品レコードが管理される商品データベースから、前記算出された指定長に基づく検索条件を満たす商品サイズを有する商品レコードを検索する検索部、
前記検索された商品レコードが有する商品画像を画面に表示する表示部
を備えることを特徴とする検索装置。
【請求項２】
請求項1に記載の検索装置であって、
前記複数のオブジェクトの数は2であり、
前記検知部は、前記複数のオブジェクトのそれぞれの位置として、第1方向の位置ならびに第2方向の位置を検知し、
前記算出部は、前記ユーザの意思に基づく指定長として、前記検知された2つのオブジェクトの位置から、当該2つのオブジェクトの前記第1方向の距離を表す第1長と、当該2つのオブジェクトの前記第2方向の距離を表す第2長と、を算出し、
前記商品サイズは、第1商品長および第2商品長を含み、
前記検索部は、前記算出された第1長および第2長に基づく検索条件を満たす第1商品長および第2商品長を含む商品サイズを有する商品レコードを検索する
ことを特徴とする検索装置。
【請求項３】
請求項2に記載の検索装置であって、
前記検索部は、前記第1長を含む第1範囲を定め、前記第2長を含む第2範囲を定め、
前記検索部は、前記第1範囲に含まれる第1商品長を有する商品レコードの個数が十分に多いか否かを、あらかじめ定めた多数条件を満たすか否かにより判定し、
前記検索部は、
(a)前記多数条件が満たされない場合、前記第1範囲に含まれる第1商品長を有する商品レコードを検索結果とし、
(b)前記多数条件が満たされる場合、前記第1範囲に含まれる第1商品長を有し、かつ、前記第2範囲に含まれる第2商品長を有する商品レコードを検索結果とする
ことを特徴とする検索装置。
【請求項４】
請求項2に記載の検索装置であって、
前記検索部は、前記第1長を含む第1範囲を定め、前記第2長を含む第2範囲を定め、
前記検索部は、前記第1範囲に含まれる第1商品長を有し、かつ、前記第2範囲に含まれる第2商品長を有する商品レコードの個数が、前記第1範囲に含まれる第1商品長を有する商品レコードの個数に比べて十分に少ないか否かを、あらかじめ定めた少数条件を満たすか否かにより判定し、
前記検索部は、
(a)前記少数条件が満たされる場合、前記第1範囲に含まれる第1商品長を有する商品レコードを検索結果とし、
(b)前記少数条件が満たされない場合、前記第1範囲に含まれる第1商品長を有し、かつ、前記第2範囲に含まれる第2商品長を有する商品レコードを検索結果とする
ことを特徴とする検索装置。
【請求項５】
請求項2から4のいずれか1項に記載の検索装置であって、
前記第1方向、第1範囲ならびに第1商品長と、前記第2方向、第2範囲ならびに第2商品長と、の、一方は、水平方向、水平範囲ならびに商品幅であり、他方は、垂直方向、垂直範囲ならびに商品高である
ことを特徴とする検索装置。
【請求項６】
請求項1に記載の検索装置であって、
前記複数のオブジェクトの数は2であり、
前記検知部は、前記複数のオブジェクトのそれぞれの位置として、水平方向の位置を検知し、
前記算出部は、前記ユーザの意思に基づく指定長として、前記複数のオブジェクトの水平方向の距離を表す水平長を算出し、
前記商品サイズは、商品幅を含み、
前記検索部は、前記水平長を含む水平範囲を定め、前記水平範囲に含まれる商品幅を有する商品レコードを検索する
ことを特徴とする検索装置。
【請求項７】
請求項1に記載の検索装置であって、
前記複数のオブジェクトの数は2であり、
前記検知部は、前記複数のオブジェクトのそれぞれの位置として、垂直方向の位置を検知し、
前記算出部は、前記ユーザの意思に基づく指定長として、前記複数のオブジェクトの垂直方向の距離を表す垂直長を算出し、
前記商品サイズは、商品高を含み、
前記検索部は、前記垂直長を含む垂直範囲を定め、前記垂直範囲に含まれる商品高を有する商品レコードを検索する
ことを特徴とする検索装置。
【請求項８】
請求項1に記載の検索装置であって、
前記複数のオブジェクトの数は2であり、
前記検知部は、前記複数のオブジェクトのそれぞれの位置として、水平方向の位置、垂直方向の位置ならびに奥行方向の位置を検知し、
前記算出部は、前記ユーザの意思に基づく指定長として、前記複数のオブジェクトの水平方向の距離を表す水平長と、垂直方向の距離を表す垂直長と、奥行方向の距離を表す奥行長と、を算出し、
前記商品サイズは、商品幅と、商品高と、商品奥行と、を含み、
前記検索部は、前記水平長を含む水平範囲を定め、前記垂直長を含む垂直範囲を定め、前記奥行長を含む垂直範囲を定め、前記水平範囲に含まれる商品幅を有し、前記垂直範囲に含まれる商品高を有し、かつ、前記奥行範囲に含まれる商品奥行を有する商品レコードを検索する
ことを特徴とする検索装置。
【請求項９】
請求項1に記載の検索装置であって、
前記表示部は、前記画面内に前記現実空間内の前記ユーザを撮影した撮影画像を表示し、
前記表示部は、前記画面内における前記ユーザの身体の大きさに対する前記商品画像の相対的なサイズが、前記現実空間内における前記ユーザの身体の大きさに対する前記指定長の相対的なサイズとなる拡縮率で前記商品画像を拡縮してから表示する
ことを特徴とする検索装置。
【請求項１０】
請求項1から8のいずれか1項に記載の検索装置であって、
前記複数のオブジェクトは、ユーザの両手先であり、
前記表示部は、前記画面内に前記現実空間を撮影した撮影画像を表示し、前記検知された位置から、当該画面内に表示された当該撮影画像内において前記ユーザの両手先が撮影されている位置を推測して、前記検索された商品レコードに含まれる商品画像が、当該推測された位置に挟まれるようにフィットさせて、当該商品画像を表示する
ことを特徴とする検索装置。
【請求項１１】
請求項1から8のいずれか1項に記載の検索装置であって、
前記複数のオブジェクトは、ユーザの両手先であり、
前記表示部は、前記画面内に前記現実空間を撮影した撮影画像を表示し、前記検知された位置から、当該画面内に表示された当該撮影画像内において前記ユーザの両手先が撮影されている位置を推測して、当該推測された位置にマークを表示する
ことを特徴とする検索装置。
【請求項１２】
請求項11に記載の検索装置であって、
前記表示部は、前記推測された位置が変化すると、当該変化前の位置に前記マークの残像を所定の時間表示する
ことを特徴とする検索装置。
【請求項１３】
請求項11または12に記載の検索装置であって、
前記検知部は、前記ユーザの奥行位置を検知し、
前記表示部は、前記撮影画像を、前記ユーザの奥行位置に対応付けられる拡縮率で拡縮してから、前記画面内に表示する
ことを特徴とする検索装置。
【請求項１４】
請求項10から13のいずれか1項に記載の検索装置であって、
前記検知部は、前記撮影画像に基づいて、前記複数のオブジェクトの位置を検知し、
前記検索部は、前記撮影画像に撮影された前記ユーザの姿から、当該ユーザの属性を推定し、当該推定された属性を有するユーザによる商品の購買履歴により、前記商品レコードを絞り込み検索する
ことを特徴とする検索装置。
【請求項１５】
請求項1に記載の検索装置であって、
前記複数のオブジェクトは、2人のユーザの両手先であり、
前記2人のユーザの両手先について前記検知された水平方向、垂直方向、奥行方向の位置から、当該2人のユーザの両手先のそれぞれの水平方向の距離、垂直方向の距離、奥行方向の距離が求められ、
求められた奥行方向の距離のうち、小さい方の距離が求められた両手先から求められた水平方向の距離が、水平長として算出され、
求められた奥行方向の距離のうち、小さい方の距離が求められた両手先から求められた垂直方向距離が、垂直長として算出され、
求められた奥行方向の距離のうち、大きい方の距離が、奥行長として算出され、
前記商品サイズは、商品幅、商品高ならびに商品奥行を含み、
前記検索部は、前記水平長を含む水平範囲を定め、当該垂直長を含む垂直範囲を定め、当該奥行長を含む奥行範囲を定め、
前記検索部は、前記水平範囲に含まれる商品幅を有し、前記垂直範囲に含まれる商品高を有し、前記奥行範囲に含まれる商品奥行を有する商品レコードを検索する
ことを特徴とする検索装置。
【請求項１６】
請求項1から15のいずれか1項に記載の検索装置であって、
前記検索部は、前記指定長を含む指定範囲を定め、前記商品データベースから、前記指定範囲に含まれる商品サイズを有する商品レコードを検索し、
前記表示部は、前記指定範囲を、前記画面にさらに表示する
ことを特徴とする検索装置。
【請求項１７】
請求項1から15のいずれか1項に記載の検索装置であって、
前記検索部は、前記検知部により検知された位置が直近の所定時間内に移動した領域の大きさに基づいて、前記指定長を含む指定範囲を定め、前記商品データベースから、前記指定範囲に含まれる商品サイズを有する商品レコードを検索する
ことを特徴とする検索装置。
【請求項１８】
請求項1から17のいずれか1項に記載の検索装置であって、
前記表示部は、前記検索部が検索をし直すことにより検索結果に含まれなくなった商品レコードの商品画像の残像を、所定の時間表示する
ことを特徴とする検索装置。
【請求項１９】
請求項1から18のいずれか1項に記載の検索装置であって、
前記指定長は所定の精度で算出され、
前記検索部は、前記算出された指定長が変化して、前記検索条件が変化するごとに、前記商品レコードを検索し直す
ことを特徴とする検索装置。
【請求項２０】
請求項19に記載の検索装置であって、
前記商品レコードが検索し直されるごとに、前記検索された商品レコードの数の増減を表す情報を、前記画面にさらに表示する
ことを特徴とする検索装置。
【請求項２１】
請求項1から20のいずれか1項に記載の検索装置であって、
前記表示部は、前記商品データベースに管理される商品レコードが有する商品サイズの最大値と最小値との少なくとも一方の情報を、前記画面内に表示する
ことを特徴とする検索装置。
【請求項２２】
請求項1から21のいずれか1項に記載の検索装置であって、
前記表示部は、前記検索条件における前記指定長の方向の情報を、前記画面内に表示する
ことを特徴とする検索装置。
【請求項２３】
検知部、算出部、検索部、表示部を有する検索装置が実行する検索方法であって、
前記検知部が、現実空間内でユーザの意思に基づいて位置が変化する複数のオブジェクトのそれぞれの位置を検知する検知工程、
前記算出部が、前記検知された複数のオブジェクトの位置から、前記ユーザの意思に基づく指定長を算出する算出工程、
前記検索部が、少なくとも、商品サイズと、商品画像と、を有する商品レコードが管理される商品データベースから、前記算出された指定長に基づく検索条件を満たす商品サイズを有する商品レコードを検索する検索工程、
前記表示部が、前記検索された商品レコードが有する商品画像を画面に表示する表示工程
を備えることを特徴とする検索方法。
【請求項２４】
コンピュータを、
現実空間内でユーザの意思に基づいて位置が変化する複数のオブジェクトのそれぞれの位置を検知する検知部、
前記検知された複数のオブジェクトの位置から、前記ユーザの意思に基づく指定長を算出する算出部、
少なくとも、商品サイズと、商品画像と、を有する商品レコードが管理される商品データベースから、前記算出された指定長に基づく検索条件を満たす商品サイズを有する商品レコードを検索する検索部、
前記検索された商品レコードが有する商品画像を画面に表示する表示部
として機能させることを特徴とするプログラムが記録された非一時的なコンピュータ読み取り可能な記録媒体。
【請求項２５】
コンピュータを、
現実空間内でユーザの意思に基づいて位置が変化する複数のオブジェクトのそれぞれの位置を検知する検知部、
前記検知された複数のオブジェクトの位置から、前記ユーザの意思に基づく指定長を算出する算出部、
少なくとも、商品サイズと、商品画像と、を有する商品レコードが管理される商品データベースから、前記算出された指定長に基づく検索条件を満たす商品サイズを有する商品レコードを検索する検索部、
前記検索された商品レコードが有する商品画像を画面に表示する表示部
として機能させることを特徴とするプログラム。